(57)【要約】【課題】  非合焦状態で撮影された画像を記録した場合にも、見苦しい再生画像が出力されることを防止する。【解決手段】  撮像手段と、前記撮像手段により得られた動画像信号を記録媒体に記録する記録手段と、記動画像信号の撮影中における前記撮像手段の合焦状態を検出し、非合焦期間に記録された前記動画像信号の再生時に特殊効果処理を施すよう前記動画像信号の再生手順を制御するための再生リストを生成する再生リスト生成手段とを備える。【選択図】  図２
2006060376.tif 000002
【特許請求の範囲】
【請求項１】
撮像手段と、
前記撮像手段により得られた動画像信号を記録媒体に記録する記録手段と、
前記動画像信号の撮影中における前記撮像手段の合焦状態を検出し、非合焦期間に記録された前記動画像信号の再生時に特殊効果処理を施すよう前記動画像信号の再生手順を制御するための再生リストを生成する再生リスト生成手段とを備える撮像装置。
【請求項２】
前記再生リスト生成手段は、前記撮像手段により得られた動画像信号を構成する輝度信号のレベルに基づいて前記合焦状態を検出することを特徴とする請求項１に記載の撮像装置。
【請求項３】
前記再生リスト生成手段は、前記再生装置の手ぶれ状態に基づいて合焦状態を検出することを特徴とする請求項１に記載の撮像装置。
【請求項４】
前記特殊効果はフェード処理であることを特徴とする請求項１に記載の撮像装置。
【請求項５】
前記記録媒体から前記動画像信号を再生する再生手段と、
前記再生リストに従って前記動画像信号の再生動作を制御するか否かを選択する選択手段とを備えたことを特徴とする請求項１に記載の撮像装置。
【請求項６】
撮像手段と、
前記撮像手段により得られた動画像信号を記録媒体に記録する記録手段と、
前記動画像信号の撮影中における前記撮像手段の合焦状態を検出し、非合焦期間に記録された前記動画像信号をスキップして再生するよう前記動画像信号の再生手順を制御するための再生リストを生成する再生リスト生成手段とを備える撮像装置。
【発明の詳細な説明】
【技術分野】
【０００１】
本発明は撮像装置に関し、特に、撮影した画像信号の再生動作の制御に関する。
【背景技術】
【０００２】
従来、ビデオカメラ等では撮像素子より出力された被写体像の映像信号より画面の先鋭度を検出し、それが最大になるようにフォーカスレンズ位置を制御して焦点を合わせている（例えば、特許文献１参照。）。
【特許文献１】特開平６−３０３２２号公報
【発明の開示】
【発明が解決しようとする課題】
【０００３】
しかしながら、従来の構成では、例えば三脚で固定して遠くの被写体の録画を行う場合、カメラの前を障害物が横切ると先鋭度が突然大幅に変化してしまい、被写体が変化したものとみなしてフォーカスレンズが動き出してしまう性質がある。そのためしばらくの間フォーカスがどこにも合わなくなり、再生時に使用者にとって見苦しく必要の無い絵をみせてしまうといった問題がある。
【０００４】
本発明はこの様な問題を解決し、撮影された画像のうち、良好な画像が得られていないと思われる部分を見苦しくなく再生可能とすることを目的とする。
【課題を解決するための手段】
【０００５】
本発明は、撮像手段と、前記撮像手段により得られた動画像信号を記録媒体に記録する記録手段と、前記動画像信号の撮影中における前記撮像手段の合焦状態を検出し、非合焦期間に記録された前記動画像信号の再生時に特殊効果処理を施すよう前記動画像信号の再生手順を制御するための再生リストを生成する再生リスト生成手段とを備える。
【発明の効果】
【０００６】
本発明によれば、非合焦状態で撮影された画像を記録した場合にも、見苦しい再生画像が出力されることを防止することができる。
【発明を実施するための最良の形態】
【０００７】
図１は、本発明におけるビデオカメラの記録処理を示すブロック図である。
【０００８】
図１を用いてビデオカメラによるオートフォーカス制御を用いた記録処理について説明する。
【０００９】
撮像部１０１により得られた動画像信号はバス１１４を介して画像信号処理部１０２及び表示制御部１０８に出力される。画像信号処理部１０２はMPEGなどの周知の圧縮符号化方法により、撮像部１０１からの動画像信号を符号化し、バス１１４を介してディスクＩ／F１０５に出力する。また、表示制御部１０８は、CPU１１０からの指示に従い、記録モードにおいては撮像部１０１からの動画像信号に係る動画像を表示部１０９に表示する。
【００１０】
一方、マイク１０３により得られた音声信号は、バス１１４を介して音声信号処理部１０４に出力される。音声信号処理部１０４は周知の圧縮符号化方法により音声信号を符号化し、バス１１４を介してディスクＩ／F１０５に出力する。
【００１１】
CPU１１０は操作キー１１１からの記録開始指示があるとディスクＩ／F１０５に対して記録フォーマットにて規定された制御データを出力すると共に、前述のように符号化された画像信号と音声信号とを記録開始するよう制御信号を出力する。なお、このときCPU１１０よりディスクＩ／Fに出力される制御データは、ビデオカメラ自体の情報、画像信号や音声信号の画質や音質などの設定情報、撮影環境に係る付加情報などを含む。また、CPU１１０は、記録開始の指示に応じて記録中の動画像データから１フレームの画像信号を抽出し、そのサイズを縮小したサムネイル画像を生成するよう画像信号処理部１０２を制御し、このサムネイル画像データもディスクＩ／F１０５に出力する。
【００１２】
ディスクＩ／F１０５は周知の光ピックアップや磁気ヘッド、及びメカニズムなどを有し、これら画像信号、音声信号及び制御データを一つのファイルとして、UDF、FATなどのファイルシステム管理の下でディスクDに記録する。ディスクDは、DVDやBlu-ray、CD-ROM、DR-RAM等である。ファイルシステムとは、ファイルの管理を行うための管理情報とファイルデータからなる構造を意味しており、このファイルシステムを共通化することにより、異なった記録媒体、あるいは記録再生機器においても情報を記録再生できる。
【００１３】
また、CPU１１０は撮像部１０１から鮮鋭度信号や焦点距離などの焦点情報を受け取り、撮像部１０１のレンズ制御を行うことでオートフォーカス制御を実現している。
【００１４】
次に、図２は本発明におけるビデオカメラによるオートフォーカス制御及び記録処理を示すフローチャートである。図２を用いて図１のビデオカメラにおけるオートフォーカス制御の記録処理について説明する。
【００１５】
ビデオカメラ本体から、REC開始の信号が送られると、まずS21で、映像および音声の記録を開始する。S22では、撮像部から鮮鋭度信号や焦点距離などの焦点情報の取り込みを行う。S23では、S22で得た焦点情報に基づいて、レンズの制御を行う。S24では、S22で得た焦点情報から焦点が大幅にずれたかどうかを検知する。焦点が合っており、特に変化が無い場合はS25へ、鮮鋭度信号や焦点距離が大幅にずれた場合は、焦点が合わなくボケているのでS26へと分岐する。S26では、合っていた焦点が突然ボケて画面のどこにも焦点が合わなくなった瞬間に、その時刻を情報ファイルに記録する。S25では、S22で得た焦点情報から焦点が再び合うどうかを検知する。焦点が合わなくなった後、再び焦点が合った場合はS27へ、再度焦点が合うという情報が得られなかった場合はS28へと分岐する。S27では、S23で焦点がボケてから再び焦点が合った瞬間に、その時刻t2を情報ファイルに記録する。S28では、REC終了ボタンが押されたかどうか検知する。押されていればS29へ、押されていなければS22へと分岐する。Ｓ29では、映像および音声の記録を終了する。S30では、映像および音声の記録終了後、再生リストを自動的に生成する。そして、再生リストが生成し終えたら、記録処理を終了する。
【００１６】
図３は本発明における再生リストの構成図である。図３を用いて、図２のビデオカメラにおけるオートフォーカス制御の記録処理で作成した再生リストについて説明する。
【００１７】
図３において、３０１はプレイリスト再生時に抽出する映像・音声データが記録されているクリップ名、３０２は、プレイリスト再生時に抽出する、各々のクリップの開始時刻。３０３は同様に終了時刻である。プレイリスト再生は、再生リストに基づいて、指定された複数クリップの開始時刻から終了時刻までを、連続して再生する。この再生リストは、クリップ1の時刻aからt1までの映像・音声データを再生した後、時刻t1からt2まで音声データを再生しつつ映像データをフェード表示し、その後クリップ１の時刻t2からbまでの映像・音声データを継続して再生するように書かれている。
【００１８】
次に、図４は一般的な再生処理の図である。図２に示すような先鋭度信号や焦点距離が大幅にずれ、しばらくの間ピントがずれてしまった場合の、再生処理時の記録媒体からの再生画像について、図４を用いて説明する。
【００１９】
媒体には、記録開始時刻aから、記録終了時刻bまでのクリップ４01が記録されている。途中、t1は先鋭度信号や焦点距離が大幅にずれた瞬間の時刻であり、t2は、再び焦点が合った瞬間の時刻である。このクリップを再生した場合、時刻t1から時刻t2までの期間は画面のどこにも焦点が合っておらず、見苦しい絵となってしまう。
【００２０】
図５は、本発明におけるプレイリスト再生の処理に関するフローチャートである。図５を用いて、図２で作成した再生リストに基づいたプレイリスト再生の処理について説明する。
【００２１】
図５において、再生が開始されると、まずS５１で図２において作成した再生リストの情報を読み込む。S５２では、S５１で読み込んだ再生リストに記述されている映像、および音声クリップを図１のディスクDから読み出し、表示部１０９、およびスピーカー１０７へと再生リストに従って順に出力する。そして、S５３ではS５２での再生開始後に経過した時刻を検知する。時刻がt1ならばS５４へ、それ以外の時刻ならばS５６へと分岐する。S５４では、表示画面にフェード効果を加える。この時、表示画面にはフェード効果が加えられているが、音声に関しては再生リスト中に期間（t１,t２）に関して特に記述されていないため、通常どおりに再生を行う。S５５では、S５２での再生開始後に経過した時刻を再度検知する。時刻がt2ならばS５４へ、それ以外の時刻ならばS５６へと分岐する。S５６では、再生停止ボタンが押されたかどうかを検知する。押されたならば、再生を終了する。押されていなければS５２へと分岐する。
【００２２】
次に、図２のオートフォーカス制御の記録処理で作成した再生リストに基づく、図５の再生処理を行った時の、再生リストとクリップの関係について説明する。図６は、再生リストとクリップの関係を説明する図である。
【００２３】
図６において、６０１はプレイリスト編集を行うためのクリップ名、そしてクリップの中の開始時刻及び終了時刻などが書かれている再生リストである。クリップ６０２は、記録開始時刻aから記録停止時刻bまで記録された映像・音声ファイルである。６０３は、クリップ６０２の時刻t1の映像をフェードで繋いだフェード部である。この場合、プレイリストの記述に従って、クリップ６０２の開始時刻aから時刻t1までの映像・音声データを再生した後、時刻t1から時刻t2までは、音声をそのまま再生しつつフェード画面を表示し、時刻t2から記録停止時刻bまでの映像・音声データを再生する。
【００２４】
上記の記録処理では、オートフォーカスの焦点が突然に大幅にずれた場合に時刻t１を情報ファイルに記録し、その後オートフォーカスの焦点が再び合った場合に時刻t２を情報ファイルに記録し、記録終了後、期間(t１,t２)の組が記述された再生リストを自動的に生成する。自動生成された再生リストを用いたプレイリスト再生では、時刻t１から時刻t２までの間、表示画面にフェード効果を加える。その結果、使用者は時刻t１から時刻t２までの期間の絵、つまり焦点がどこにも合っていなく、見苦しい絵を見ることなく再生映像を楽しむことができる。また、時間t１から時間t２までの期間の音声は通常通り再生されるので、音が途切れるという違和感を使用者が覚えることは無い。
【００２５】
なお、本実施形態では、カメラ情報のフォーカスを利用して時間t1からt2まで特殊効果を加えたが、輝度信号レベルが低い期間や手振れ期間を検出して特殊効果を施すようプレイリストを生成してもよい。また、入力された音声信号中のノイズレベルが大きい期間に特殊効果処理を施すようにしてもよい。
【００２６】
また、非合焦期間の間、時間ｔ１の再生画像を静止画像として表示するよう、プレイリストを生成してもよい。
【００２７】
続いて、他の実施例について説明する。本形態では、記録装置において動画を記録する際、焦点がどこにも合わない場合に映像および音声をスキップする再生処理について説明する。
【００２８】
図７は、本形態における再生リストの構成図である。図７を用いて、実施例１で説明した図２のオートフォーカス制御の記録処理で生成された再生リストについて説明する。
【００２９】
図７において、７０１はプレイリスト再生時に抽出する映像・音声データが記録されているクリップ名、７０２は、プレイリスト再生時に抽出する、各々のクリップの開始時刻。７０３は同様に終了時刻である。プレイリスト再生は、再生リストに基づいて、指定された複数クリップの開始時刻から終了時刻までを、連続して再生する。この再生リストは、クリップ1の時刻aからt1までの映像・音声データを再生した後、時刻t1からt2まで映像および音声をスキップし、その後クリップ１の時刻t2からbまでの映像・音声データを継続して再生するように書かれている。
【００３０】
図８は、本発明におけるプレイリスト再生の処理に関するフローチャートである。図８を用いて、図２で作成した再生リストに基づいたプレイリスト再生の処理について説明する。
【００３１】
図８において、再生が開始されると、まずS８１で図２において作成した再生リストの情報を読み込む。S８２では、S８１で読み込んだ再生リストに記述されている映像、および音声クリップを図１のディスクDから読み出し、表示部１０９、およびスピーカー１０７へと再生リストに従って順に出力する。そして、S８３ではS８２での再生開始後に経過した時間を検知する。時刻がt1ならばS８４へ、それ以外の時刻ならばS８５へと分岐する。S８４では、映像および音声クリップにおいて、時刻がt2の位置まで瞬時にスキップする。S８５では、再生停止ボタンが押されたかどうかを検知する。押されたならば、再生を終了する。押されていなければS８２へと分岐する。
【００３２】
次に、図９は第二の実施例における再生リストとクリップの関係を説明する図である。
【００３３】
図２のオートフォーカス制御の記録処理で作成した再生リストに基づく、図８の再生処理を行った時の、再生リストとクリップの関係について説明する。
【００３４】
図９において、９０１はプレイリスト編集を行うためのクリップ名、そしてクリップの中の開始時間及び終了時間などが書かれている再生リストである。クリップ９０２は、記録開始時刻aから記録停止時刻bまで記録された映像・音声ファイルである。この場合、プレイリスト再生により、クリップ９０２の開始時間aから時刻t1までの映像・音声データを再生した後、記録開始時刻t1から時刻t2までは映像および音声を瞬時にスキップし、時刻t2から記録停止時刻bまでの映像・音声データを再生する。
【００３５】
上記フローチャートによれば、本記録装置において動画を再生する際、上述第一の実施形態とは異なり、使用者は特殊効果を用いずに映像および音声を瞬時にスキップさせることで、時刻t1から時刻t2までの期間の絵、つまり焦点がどこにも合っていない、見苦しい絵を見ることなく再生映像を楽しむことができる。
【００３６】
本記録再生装置は、前述の実施例のような特殊効果を用いるのではなく、映像および音声のスキップを用いるため、特殊効果を行う機能を備えていない記録再生装置においても、使用者に好適な再生映像を提供することができる。
【図面の簡単な説明】
【００３７】
【図１】本発明の実施形態におけるビデオカメラの記録処理を示すブロック図である。
【図２】本発明の実施形態におけるビデオカメラによるオートフォーカス制御の記録処理を示すフローチャートである。
【図３】再生リストの構成図である。
【図４】再生処理の図である。
【図５】本発明の実施形態におけるプレイリスト再生の処理に関するフローチャートである。
【図６】本発明の実施形態における再生リストとクリップの関係を示す図である。
【図７】本発明の実施形態における再生リストの構成図である。
【図８】本発明の実施形態におけるプレイリスト再生の処理に関するフローチャートである。
【図９】本発明の実施形態における再生リストとクリップの関係を示す図である。
【図１】
2006060376.tif 000003
【図２】
2006060376.tif 000004
【図３】
2006060376.tif 000005
【図４】
2006060376.tif 000006
【図５】
2006060376.tif 000007
【図６】
2006060376.tif 000008
【図７】
2006060376.tif 000009
【図８】
2006060376.tif 000010
【図９】
2006060376.tif 000011